(57)【要約】【課題】被検体から放出されるガンマ線を検出してデータを収集する際に、一部の収集角度において骨によりガンマ線が減弱することで生じる画像劣化を防ぐこと。【解決手段】収集条件決定部４２１が、ユーザが指定する検査部位及びそのＣＴ画像に基づいて収集開始角度、収集終了角度、収集角度の順番、各収集角度での収集時間などの収集条件を決定する。また、逐次近似処理部４３３が、ガンマ線の減弱が大きい投影角度をＣＴ画像を用いて特定し、特定した投影角度に対しては他の投影角度と比較して値が小さい重みを用いて逐次近似を行う。【選択図】        図２
2010107221.tif 000002
【特許請求の範囲】
【請求項１】
被検体から放出される放射線を検出して画像を作成する核医学画像撮影装置であって、
前記放射線が所定の閾値より減弱する投影角度を特定する減弱角度特定手段と、
前記減弱角度特定手段により特定された投影角度に対しては他の投影角度より低い重み付けを行って逐次計算を行うことにより再構成画像を作成する再構成手段と
を備えたことを特徴とする核医学画像撮影装置。
【請求項２】
前記減弱角度特定手段は、対象部位のＣＴ画像を用いて前記放射線が所定の閾値より減弱する投影角度を特定することを特徴とする請求項１に記載の核医学画像撮影装置。
【請求項３】
被検体から放出される放射線を検出して画像を作成する核医学画像撮影装置であって、
被検体からデータを収集する時間を収集角度毎に決定する収集時間決定手段と、
前記収集時間決定手段により決定された収集時間に基づいて被検体からデータを収集するデータ収集手段と
を備えたことを特徴とする核医学画像撮影装置。
【請求項４】
被検体から放出される放射線を検出して画像を作成する核医学画像撮影装置であって、
被検体からデータを収集する角度についての順番を決定する収集順番決定手段と、
前記収集順番決定手段により決定された順番に基づいて被検体からデータを収集するデータ収集手段と
を備えたことを特徴とする核医学画像撮影装置。
【請求項５】
被検体から放出される放射線を検出して画像を作成する核医学画像撮影装置であって、
前記放射線が所定の閾値より減弱する投影角度を特定する減弱角度特定手段と、
前記減弱角度特定手段により特定された投影角度のデータについては繰り返し回数を減らして逐次計算を行うことにより再構成画像を作成する再構成手段と
を備えたことを特徴とする核医学画像撮影装置。
【請求項６】
被検体から放出された放射線を検出することにより収集されたデータを再構成して画像を作成する核医学画像再構成装置であって、
前記放射線が所定の閾値より減弱する投影角度を特定する減弱角度特定手段と、
前記減弱角度特定手段により特定された投影角度に対しては他の投影角度より低い重み付けを行って逐次計算を行うことにより再構成画像を作成する再構成手段と
を備えたことを特徴とする核医学画像再構成装置。
【請求項７】
被検体から放出された放射線を検出することにより収集されたデータを再構成して画像を作成する核医学画像再構成装置であって、
前記放射線が所定の閾値より減弱する投影角度を特定する減弱角度特定手段と、
前記減弱角度特定手段により特定された投影角度のデータについては繰り返し回数を減らして逐次計算を行うことにより再構成画像を作成する再構成手段と
を備えたことを特徴とする核医学画像再構成装置。
【請求項８】
被検体から放出された放射線を検出することにより収集されたデータを再構成して画像を作成する核医学画像再構成プログラムであって、
前記放射線が所定の閾値より減弱する投影角度を特定する減弱角度特定手順と、
前記減弱角度特定手順により特定された投影角度に対しては他の投影角度より低い重み付けを行って逐次計算を行うことにより再構成画像を作成する再構成手順と
をコンピュータに実行させることを特徴とする核医学画像再構成プログラム。
【請求項９】
被検体から放出された放射線を検出することにより収集されたデータを再構成して画像を作成する核医学画像再構成プログラムであって、
前記放射線が所定の閾値より減弱する投影角度を特定する減弱角度特定手順と、
前記減弱角度特定手順により特定された投影角度のデータについては繰り返し回数を減らして逐次計算を行うことにより再構成画像を作成する再構成手順と
をコンピュータに実行させることを特徴とする核医学画像再構成プログラム。
【発明の詳細な説明】
【技術分野】
【０００１】
この発明は、被検体から放出された放射線を検出して作成される画像の画質を向上する技術に関する。
【背景技術】
【０００２】
ＳＰＥＣＴ（single  photon  emission  computed  tomography）装置では、患者（被検体）の周りを３６０度等角度間隔でデータを収集する。また、心臓を対象部位とする場合には、一部で１８０度等角度間隔で収集することも行われている（例えば、非特許文献１参照。）。
【０００３】
【非特許文献１】Eisner  RL,  Nowak  DJ,  Pettigrew  R,  Fajman  W.  Fundamentals  of  180  degree  acquisition  and  reconstruction  in  SPECT  imaging.  J  Nucl  Med.  1986;27:1717-1728.
【発明の開示】
【発明が解決しようとする課題】
【０００４】
しかしながら、ガンマ線は骨による減弱が大きいため、骨を通過する角度で収集したデータを骨を通過しない角度で収集したデータと同じように用いて画像を再構成すると、骨を通過する角度でのガンマ線収集カウント低下により、画像劣化が生じるという未解決な課題がある。
【０００５】
なお、体躯部（心筋、腫瘍など）を対象部位とする場合には、腕の骨によるガンマ線の減弱を避けるため、腕を上げた状態でデータを収集することも行われている。しかし、かかるデータ収集には、患者は腕を上げた状態を長時間（２０分以上）にわたって保つ必要があるため、患者にとって苦痛であるという課題がある。
【０００６】
この発明は、上述した従来技術による課題を解消するためになされたものであり、骨を通過する角度でのガンマ線収集カウント低下による画像劣化を防ぎ、再構成画像の画質を向上することができる核医学画像撮影装置、核医学画像再構成装置及び核医学画像再構成プログラムを提供することを目的とする。
【課題を解決するための手段】
【０００７】
上述した課題を解決し、目的を達成するため、請求項１記載の本発明は、被検体から放出される放射線を検出して画像を作成する核医学画像撮影装置であって、前記放射線が所定の閾値より減弱する投影角度を特定する減弱角度特定手段と、前記減弱角度特定手段により特定された投影角度に対しては他の投影角度より低い重み付けを行って逐次計算を行うことにより再構成画像を作成する再構成手段とを備えたことを特徴とする。
【０００８】
また、請求項３記載の本発明は、被検体から放出される放射線を検出して画像を作成する核医学画像撮影装置であって、被検体からデータを収集する時間を収集角度毎に決定する収集時間決定手段と、前記収集時間決定手段により決定された収集時間に基づいて被検体からデータを収集するデータ収集手段とを備えたことを特徴とする。
【０００９】
また、請求項４記載の本発明は、被検体から放出される放射線を検出して画像を作成する核医学画像撮影装置であって、被検体からデータを収集する角度についての順番を決定する収集順番決定手段と、前記収集順番決定手段により決定された順番に基づいて被検体からデータを収集するデータ収集手段とを備えたことを特徴とする。
【００１０】
また、請求項５記載の本発明は、被検体から放出される放射線を検出して画像を作成する核医学画像撮影装置であって、前記放射線が所定の閾値より減弱する投影角度を特定する減弱角度特定手段と、前記減弱角度特定手段により特定された投影角度のデータについては繰り返し回数を減らして逐次計算を行うことにより再構成画像を作成する再構成手段とを備えたことを特徴とする。
【００１１】
また、請求項６記載の本発明は、被検体から放出された放射線を検出することにより収集されたデータを再構成して画像を作成する核医学画像再構成装置であって、前記放射線が所定の閾値より減弱する投影角度を特定する減弱角度特定手段と、前記減弱角度特定手段により特定された投影角度に対しては他の投影角度より低い重み付けを行って逐次計算を行うことにより再構成画像を作成する再構成手段とを備えたことを特徴とする。
【００１２】
また、請求項７記載の本発明は、被検体から放出された放射線を検出することにより収集されたデータを再構成して画像を作成する核医学画像再構成装置であって、前記放射線が所定の閾値より減弱する投影角度を特定する減弱角度特定手段と、前記減弱角度特定手段により特定された投影角度のデータについては繰り返し回数を減らして逐次計算を行うことにより再構成画像を作成する再構成手段とを備えたことを特徴とする。
【００１３】
また、請求項８記載の本発明は、被検体から放出された放射線を検出することにより収集されたデータを再構成して画像を作成する核医学画像再構成プログラムであって、前記放射線が所定の閾値より減弱する投影角度を特定する減弱角度特定手順と、前記減弱角度特定手順により特定された投影角度に対しては他の投影角度より低い重み付けを行って逐次計算を行うことにより再構成画像を作成する再構成手順とをコンピュータに実行させることを特徴とする。
【００１４】
また、請求項９記載の本発明は、被検体から放出された放射線を検出することにより収集されたデータを再構成して画像を作成する核医学画像再構成プログラムであって、前記放射線が所定の閾値より減弱する投影角度を特定する減弱角度特定手順と、前記減弱角度特定手順により特定された投影角度のデータについては繰り返し回数を減らして逐次計算を行うことにより再構成画像を作成する再構成手順とをコンピュータに実行させることを特徴とする。
【発明の効果】
【００１５】
請求項１、３、４、６または８記載の本発明によれば、再構成画像の画質を向上することができる。
【００１６】
また、請求項５、７または９記載の本発明によれば、再構成画像の画質を低下させることなく逐次近似処理を高速化することができる。
【発明を実施するための最良の形態】
【００１７】
以下に添付図面を参照して、この発明に係る核医学画像撮影装置、核医学画像再構成装置及び核医学画像再構成プログラムの好適な実施例を詳細に説明する。なお、本実施例では、本発明をＳＰＥＣＴ-ＣＴ装置に適用した場合を中心に説明する。
【実施例】
【００１８】
まず、本実施例に係るＳＰＥＣＴ／ＣＴ装置の構成について説明する。図１は、本実施例に係るＳＰＥＣＴ／ＣＴ装置の構成を説明するための説明図である。同図に示すように、このＳＰＥＣＴ／ＣＴ装置は、ＳＰＥＣＴスキャナ１と、ＣＴスキャナ２と、寝台３と、データ処理装置４と、表示装置５とを有する。また、このＳＰＥＣＴ／ＣＴ装置は、図１では省略されているが、ユーザがＳＰＥＣＴ／ＣＴ装置への指示を入力するためのボタン、キーボードなどを有する。
【００１９】
ＳＰＥＣＴスキャナ１は、患者の周囲で平面検出器を移動あるいは複数の平面検出器を配置し、患者の検査部位から放射されるガンマ線を複数の方向から検出し、得られたガンマ線のカウント値に基づく投影データを生成する装置である。
【００２０】
ＣＴスキャナ２は、Ｘ線を発生するＸ線発生装置とＸ線を検出する検出器を備え、Ｘ線発生装置により発生したＸ線を患者に照射し、患者を透過したＸ線を検出器により検出して投影データを生成する装置である。
【００２１】
寝台３は、患者を載せるベッドである。データ処理装置４は、ＳＰＥＣＴスキャナ１およびＣＴスキャナ２によってそれぞれ生成された投影データを処理してＳＰＥＣＴ画像およびＣＴ画像を生成し、表示装置５に表示する装置である。
【００２２】
図２は、データ処理装置４の構成を示す機能ブロック図である。同図に示すように、このデータ処理装置４は、ＣＴ画像記憶部４１と、データ収集計画部４２と、ＯＳＥＭ再構成部４３と、表示部４４と、入力受付部４５とを有する。
【００２３】
ＣＴ画像記憶部４１は、ＣＴスキャナ２によって生成された投影データから作成されたＣＴ画像を記憶する記憶部である。このＣＴ画像記憶部４１は、後述するデータ収集条件の決定や逐次近似処理での重み付けなどに用いられる。
【００２４】
データ収集計画部４２は、ＳＰＥＣＴ画像を作成するために患者からデータを収集する条件を決定してＳＰＥＣＴスキャナ１に設定する処理部であり、収集条件決定部４２１と、収集条件設定部４２２とを有する。
【００２５】
収集条件決定部４２１は、ユーザが指定する検査部位及びそのＣＴ画像に基づいて収集開始角度、収集終了角度、各収集角度での収集時間、収集角度の順番すなわちデータを収集する角度についての順番などの収集条件を決定する処理部である。
【００２６】
図３に示すように、心臓、肝臓、腎臓などの検査部位の形状によりデータを収集する角度の範囲を適切に選択することによって、画像の歪みや不均一部分を小さくすることができる。そこで、この収集条件決定部４２１は、ユーザが指定する検査部位に基づいて収集開始角度及び収集終了角度を決定する。
【００２７】
また、この収集条件決定部４２１は、骨によるガンマ線の減弱が大きい撮影角度を検査部位のＣＴ画像を用いて特定し、特定した撮影角度のデータ収集時間を他の撮影角度のデータ収集時間と比較して短くするように各撮影角度の撮影時間を決定する。
【００２８】
ここで、ガンマ線の減弱が大きい撮影角度とは、例えばガンマ線が通過する骨の長さが所定の閾値より大きい撮影角度である。あるいは、閾値を複数設けてガンマ線の減弱を３つ以上に分類し、３種類以上の撮影時間を設けるようにすることもできる。また、撮影時間を０にすることによって、特定の角度ではデータを収集しないようにすることもできる。
【００２９】
図４は、撮影時間の制御方法を示す図である。図４に示すように、Ｎ番目の角度での検出器の回転速度を遅くすることによって、Ｎ番目の角度での撮影時間を長くすることができる。逆に、Ｎ番目の角度での検出器の回転速度を速くすることによって、Ｎ番目の角度での撮影時間を短くすることができる。
【００３０】
このように、収集条件決定部４２１が、検査部位の撮影条件として、骨によるガンマ線の減弱が大きい撮影角度をＣＴ画像を用いて特定し、特定した撮影角度の撮影時間を短くすることによって、再構成画像の画質を向上させることができる。
【００３１】
また、この収集条件決定部４２１は、サブセット内での検査部位の動きができるだけ少なくなるようにサブセット毎に連続してデータ収集するように収集角度の順番を決定する。ここで、サブセットとは、撮影角度の部分集合である。
【００３２】
例えば、撮影する角度を順に「角度１」〜「角度６」とし、サブセット数を２とすると、「角度１」、「角度３」、「角度５」が１つのサブセットであり、「角度２」、「角度４」、「角度６」が他の１つのサブセットとなる。このとき、撮影角度の順番は、「角度１」、「角度３」、「角度５」、「角度２」、「角度４」、「角度６」のように、同一サブセットの角度が連続するようにする。
【００３３】
なお、収集条件決定部４２１は、ガンマ線の減弱が小さい撮影角度を検査部位のＣＴ画像を用いて特定し、特定した撮影角度を優先して撮影の順番を決定するようにすることもできる。優先順位を用いて撮影を行うことによって、撮影効率を向上させることができる。
【００３４】
収集条件設定部４２２は、収集条件決定部４２１により決定された収集開始角度、収集終了角度、収集角度の順番、各収集角度での収集時間などの収集条件をＳＰＥＣＴスキャナ１に設定する処理部である。
【００３５】
ＯＳＥＭ再構成部４３は、ＯＳＥＭ（ordered  subset  expectation  maximization）法を用いて再構成画像（ＳＰＥＣＴ画像）を作成する処理部であり、ＳＰＥＣＴ画像記憶部４３１と、投影データ取得部４３２と、逐次近似処理部４３３と、再構成画像作成部４３４とを有する。
【００３６】
ＳＰＥＣＴ画像記憶部４３１は、投影データ、再構成画像などを記憶する記憶部である。投影データ取得部４３２は、ＳＰＥＣＴスキャナ１から検査部位の投影データを取得する処理部であり、取得した投影データをＳＰＥＣＴ画像記憶部４３１に格納する。
【００３７】
逐次近似処理部４３３は、逐次近似により断面上の画素値Ｘjを計算する処理部である。ここで、ｊは断面上の画素位置に対応するインデックスであり、例えば画素数が６２５の場合には、１〜６２５の値をとる。
【００３８】
図５は、画素値Ｘjの逐次近似を説明するための説明図である。図５に示すように、ＯＳＥＭ法では、ｎ回目の近似値Ｘj(ｎ)に対して重みＣijを乗じ、ｎ回目の投影データの推定値Ｚi(ｎ)が投影データＹiに一致するようにｎ＋１回目の近似値Ｘj(ｎ＋１)を計算する。ここで、ｉは投影角度（撮影角度）に対応するインデックスであり、１〜ｍ（投影数）の値をとる。
【００３９】
この逐次近似処理部４３３は、ガンマ線の減弱が大きい投影角度を検査部位のＣＴ画像から特定し、特定した投影角度の重みＣijの値を他の投影角度の重みＣijの値と比較して小さくして逐次近似を行う。あるいは、ガンマ線の減弱を３つ以上に分類し、重みＣijの値として３種類以上の値を設けるようにすることもできる。また、重みＣijの値を０にすることによって、特定の投影角度のデータを逐次計算で用いないようにすることもできる。
【００４０】
図６は、逐次近似処理部４３３による重みＣijの値の割付の一例を説明するための説明図である。この例では、逐次近似処理部４３３は、検査部位１１から放出されるガンマ線が骨１２を通過する投影角度では低い重み付けを行い、検査部位１１から放出されるガンマ線が骨１２を通過しない投影角度では普通の重み付けを行う。
【００４１】
このように、逐次近似処理部４３３が、断面上の画素値Ｘjを逐次近似するときに、骨によるガンマ線の減弱が大きい投影角度の重みＣijの値を小さくして逐次近似を行うことによって、再構成画像の画質を向上させることができる。
【００４２】
なお、逐次近似処理部４３３は、ガンマ線の減弱が大きい投影角度の重みの値を小さくする代わりに、特定の繰り返し回数において、ガンマ線の減弱が大きい投影角度での計算を行わないようにすることもできる。特定の繰り返し回数において、ガンマ線の減弱が大きい投影角度での計算を行わないようにすることによって、再構成画像の画質を低下させることなく逐次近似処理を高速化することができる。
【００４３】
再構成画像作成部４３４は、逐次近似処理部４３３により計算された画素値Ｘjを用いて再構成画像を作成する処理部であり、作成した再構成画像をＳＰＥＣＴ画像記憶部４３１に格納する。
【００４４】
表示部４４は、ＳＰＥＣＴ画像記憶部４３１に記憶された再構成画像を表示装置５に表示する処理部である。
【００４５】
入力受付部４５は、ボタン、キーボードなどを用いたユーザの指示を受け付け、受け付けた指示をデータ収集計画部４２、ＯＳＥＭ再構成部４３又は表示部４４に通知する処理部である。ユーザの指示としては、検査部位の指定、再構成画像作成指示、画像表示指示などがある。
【００４６】
次に、データ収集計画部４２によるデータ収集条件計画処理の処理手順について説明する。図７は、データ収集計画部４２によるデータ収集条件計画処理の処理手順を示すフローチャートである。
【００４７】
図７に示すように、このデータ収集条件計画処理では、収集条件決定部４２１が、ユーザが指定した検査部位に基づいてデータの収集開始角度、収集終了角度を決定する（ステップＳ１１）。
【００４８】
そして、収集条件決定部４２１は、サブセット毎に連続してデータを収集するように収集角度の順番を決定する（ステップＳ１２）。さらに、収集条件決定部４２１は、検査部位のＣＴ画像を用いて各収集角度でのガンマ線の減弱が大きいか否かを判定し、判定結果に基づいて収集時間を決定する（ステップＳ１３）。そして、収集条件設定部４２２がデータの収集条件をＳＰＥＣＴスキャナ１に設定する（ステップＳ１４）。
【００４９】
このように、収集条件決定部４２１が、ユーザが指定する検査部位及びそのＣＴ画像に基づいて収集開始角度、収集終了角度、収集角度の順番、各収集角度での収集時間などの収集条件を決定することによって、再構成画像の画質を向上することができる。
【００５０】
次に、ＯＳＥＭ再構成部４３による画像再構成処理の処理手順について説明する。図８は、ＯＳＥＭ再構成部４３による画像再構成処理の処理手順を示すフローチャートである。
【００５１】
図８に示すように、この画像再構成処理では、投影データ取得部４３２が、ＳＰＥＣＴスキャナ１から投影データを読み込み（ステップＳ２１）、逐次近似処理部４３３が、初期画像の設定、すなわちＸj（０）を設定する（ステップＳ２２）。なお、Ｘj（０）としては、例えば全てに同じ値を設定することができる。
【００５２】
そして、逐次近似処理部４３３は、推定投影データＺi(ｎ)を作成し（ステップＳ２３）、推定投影データＺi(ｎ)、現在の画素値Ｘj(ｎ)、読み込んだ投影データＹi(ｎ)、重みＣijを用いて次の画素値Ｘj(ｎ＋１)を計算する（ステップＳ２４）。ここで、重みＣijは、ガンマ線の減弱が大きい投影角度に対しては値が小さい。
【００５３】
そして、投影数／サブセット数分処理を行ったか否か、すなわち１つのサブセットの処理を行ったか否かを判定し（ステップＳ２５）、投影数／サブセット数分処理を行っていない場合には、ステップＳ２３に戻って次の投影角度の処理を行う。
【００５４】
一方、投影数／サブセット数分処理を行った場合には、サブセット数分処理を行ったか否かを判定し（ステップＳ２６）、サブセット数分処理を行っていない場合には、ステップＳ２３に戻って次のサブセットの処理を行う。
【００５５】
一方、サブセット数分処理を行った場合には、繰り返し回数分処理を行ったか否かを判定し（ステップＳ２７）、繰り返し回数分処理を行っていない場合には、ステップＳ２３に戻って次の繰り返しを行う。これに対して、繰り返し回数分処理を行った場合には、再構成画像作成部４３４が最終の画素値Ｘj(ｎ)を用いて再構成画像の作成を行う（ステップＳ２８）。
【００５６】
このように、逐次近似処理において、ガンマ線の減弱が大きい投影角度に対しては値が小さい重みを用いることによって、再構成画像の画質を向上することができる。
【００５７】
上述してきたように、本実施例では、収集条件決定部４２１が、ユーザが指定する検査部位及びそのＣＴ画像に基づいて収集開始角度、収集終了角度、収集角度の順番、各収集角度での収集時間などの収集条件を決定する。したがって、ガンマ線カウント低下による画像劣化を防ぎ、ＳＰＥＣＴ画像の画質を向上することができる。
【００５８】
また、本実施例では、逐次近似処理部４３３が、ガンマ線の減弱が大きい投影角度をＣＴ画像を用いて特定し、特定した投影角度に対しては他の投影角度と比較して値が小さい重みを用いて逐次近似を行う。したがって、ガンマ線カウント低下による画像劣化を防ぎ、ＳＰＥＣＴ画像の画質を向上することができる。
【００５９】
なお、本実施例では、収集条件決定部４２１がデータの収集条件を決定し、逐次近似処理部４３３が重みＣijの値を投影角度について変えながら逐次近似処理を行う場合について説明した。しかし、本発明はこれに限定されるものではなく、収集条件決定部４２１又は逐次近似処理部４３３のいずれかだけを利用し、他の一方は従来技術を利用する場合にも同様に適用することができる。
【００６０】
また、本実施例では、ＳＰＥＣＴ／ＣＴ装置について説明したが、本発明はこれに限定されるものではなく、検査部位から放出されるガンマ線の減弱が大きい撮影角度、投影角度の特定にＣＴ画像を用いるＳＰＥＣＴ装置にも同様に適用することができる。また、他の核医学画像撮影装置にも適用することができる。
【００６１】
また、本実施例では、ＯＳＥＭ再構成部４３が画像再構成処理を行う場合について説明したが、ＯＳＥＭ再構成部４３が行う画像再構成処理をソフトウェアによって実現するようにすることもできる。
【産業上の利用可能性】
【００６２】
以上のように、本発明は、被検体が放出する放射線を検出して画像を作成するＳＰＥＣＴ／ＣＴ装置、ＳＰＥＣＴ装置などに有用である。
【図面の簡単な説明】
【００６３】
【図１】本実施例に係るＳＰＥＣＴ／ＣＴ装置の構成を説明するための説明図である。
【図２】データ処理装置の構成を示す機能ブロック図である。
【図３】心臓、肝臓、腎臓のデータを収集する角度の範囲を示す図である。
【図４】撮影時間の制御方法を示す図である。
【図５】画素値Ｘjの逐次近似を説明するための説明図である。
【図６】逐次近似処理部による重みＣijの値の割付の一例を説明するための説明図である。
【図７】データ収集計画部によるデータ収集条件計画処理の処理手順を示すフローチャートである。
【図８】ＯＳＥＭ再構成部による画像再構成処理の処理手順を示すフローチャートである。
【符号の説明】
【００６４】
１    ＳＰＥＣＴスキャナ
２    ＣＴスキャナ
３    寝台
４    データ処理装置
５    表示装置
１１    検査部位
１２    骨
４１    ＣＴ画像記憶部
４２    データ収集計画部
４３    ＯＳＥＭ再構成部
４４    表示部
４５    入力受付部
４２１    収集条件決定部
４２２    収集条件設定部
４３１    ＳＰＥＣＴ画像記憶部
４３２    投影データ取得部
４３３    逐次近似処理部
４３４    再構成画像作成部
【図１】
2010107221.tif 000003
【図２】
2010107221.tif 000004
【図３】
2010107221.tif 000005
【図４】
2010107221.tif 000006
【図５】
2010107221.tif 000007
【図６】
2010107221.tif 000008
【図７】
2010107221.tif 000009
【図８】
2010107221.tif 000010